(57)【要約】      （修正有）【課題】携行品を所持して外出する際に手が塞がれることなく、なるべく多くしかも安全に携行でき、携行品の出し入れが容易で、又携行時に身体になじみがよく動作が円滑に行われるような収納具で、衣服の外側、コートの内側にも装着可能な形態をもち、かつ大型の物品を収納するための簡易収納具及び該収納具本体を収納できるような収納袋とを併設している構成の収納具を提供する。【解決手段】腰部の半周以上に巻きつけ、着衣内又は外に装着し携行品を収納する機能及び形態を有する携帯用収納ベルトにおいて複数の収納部が連設した形状を持ち、収納ベルト自体をさらに収納するための収納袋及びリュックザックを該ベルトの収納部に併設し、又複数の収納部の連設部においてベルト幅から切込みをいれた又は彎曲した形状を有し、収納ベルトの表側を構成する布地には一般の衣服に使われるような図柄の布地を使用する。【選択図】図４
0003100809.tif 000002
【実用新案登録請求の範囲】
【請求項１】
腰部の半周以上に巻きつけ、着衣内又は外に装着し携行品を収納する機能及び形態を有する携帯用収納ベルトにおいて複数の収納部が連設した形状を持つ収納ベルト。
【請求項２】
リュックザックが該収納ベルトに紐を使って連結、併設され、リュックザックを使用しない時には収納ベルト内の収納ポケット内に収納できるような構成とした請求項１記載の収納ベルト。
【請求項３】
収納ベルト自体をさらに収納、携帯するための袋を該収納ベルトの収納ポケット内に紐を使って連結、併設した請求項１又は２記載の収納ベルト。
【請求項４】
複数の収納部の連設部において、ベルト幅から切込み又は彎曲した形状を有する請求項１〜３項に記載の収納ベルト。
【考案の詳細な説明】
【考案の詳細な説明】
【技術分野】
【０００１】本考案は外出時などに携行品を収納するための携帯用収納器具に係るものであり、詳しくは、物品を収納したのち、ベルト状に身体に装着して携帯できるようにした収納ベルトに属するものである。
【背景技術】
【０００２】  従来、外出時の物品の収納には、いわゆるバッグ類、肩に掛けるショルダーバッグ、背中に背負うリュックザックなどが使われていた。
又海外旅行用などには衣服内に胴巻き型の収納ベルトを装着していた。
一方、衣服外に装着するものとしてはウェストバッグ又はウェストポーチと称する携帯具、各種工事従事者用の腰袋やそれに類する収納具が使われていた。
【考案が解決しようとする課題】
【０００３】  従来の技術に述べたもののうち、いわゆるバッグ類は、外出時には片手でバッグ類を持つため、残る片手での物品の出し入れをするには不便で、置き忘れのおそれや、最近は路上強奪などに遭う危険が増えてきており、保安面では問題点があった。
【０００４】  ショルダーバッグも完全に両手が自由になるというわけではなく、又貴重品の収納、携帯には保安面で不充分だった。
【０００５】  背中に背負うリュックザックも保安面では充分ではなく、又携帯のまま物品の出し入れはできないという問題点があった。
【０００６】  又海外旅行用の胴巻き型の収納ベルトは主としてパスポート、紙幣、旅行者用小切手などの収納のために使われているもので、収納量に限りがあり、また人前で出し入れすることについては難点があった。
【０００７】  一方、ウェストバッグ又はウェストポーチと称する携帯具、各種工事従事者用の腰袋やそれに類する収納具は衣服の外側に装着する用途に限って用いられ、衣服の内外いずれにも用いることはできなかった。
【０００８】  本考案は、従来の技術の有するこのような問題点を解決するためになされたものであり、その目的は一般の人、とくにお年寄りや身体の動きにやや難のある人が外出する際に手が塞がれることなく身の回り品、貴重品をなるべく多くしかも安全に携行でき、携行品の出し入れが容易で、又携行時に身体の動きになじみがよく着座、着席の際も動作が円滑に行われるような収納ベルトで、衣服の外側に装着しても違和感のないような図柄や模様などのデザイン性をもち、コートの内側にも装着可能な形態を有し、かつ大型の物品を収納するためのリュックザック及び装着していない時に該収納ベルト本体をコンパクトに収納できるような収納袋とを併設している構成の収納ベルトを提供することを目的としている。
【課題を解決するための手段】
【０００９】  上記目的を達成するために、本考案における収納ベルトは腰部の半周以上に巻きつけ、着衣内又は外に装着し携行品を収納する機能及び形態を有する携帯用収納ベルトにおいて複数の収納部が連設した形状を持ち、収納ベルト自体をさらに収納、携帯するための収納袋及び収納ベルト内での収納が難しい形状又は重量の携行品を収納するためのリュックザックを該収納ベルトの収納部に併設し、又複数の収納部の連設部において、ベルト幅から切込みをいれた又は彎曲した形状を有し、収納ベルトの材料となる布地の内表側を構成する布地には一般に上着としての衣服に使われるような装飾性のある図柄や模様の布地を使用したものとなっている。
【考案を実施するための最良の形態】
【００１０】  以下に図１〜図５を参照して本考案を適用した収納ベルトを説明する。ここでは収納ベルトを装着した際に身体に接する面を裏側、反対側を表側と称する。図１は収納ベルト全体の表側から見た図、図２は収納ベルトの裏側から見た図であり、図３は収納ベルトを収納するために該収納ベルトに併設して作られた収納袋（１）を収納用ポケットから取り出したところを示す。図４は該収納ベルトに併設されているリュックザック（２）を収納ポケットから取り出したところを示す。通常は収納袋（１）とリュックザック（２）は収納ベルト内に設けられたポケット内に、それぞれ納められているため外部からは見えない。図５は該収納ベルトを身体に装着したところを示す図である。【００１１】本考案による収納ベルトは合成繊維、天然繊維等の布材を縫い合わせた収納部と収納ベルト全体を腰部に装着するためのベルト部からできた構成になっており、収納部は数枚の布地とファスナを縫い合わせ、九つの収納ポケット（３）〜（１１）を構成するようになっており、その収納部の両端において装着用ベルトと連結され、装着用ベルトはその両端に止着用のバックルが備わるという構成になっている。収納ベルト全体の大きさは装着する人の腰部の半周以上に巻き付けられるような大きさを目安にしつつも自由に変更できるものであるが、本実施形態では図１における長さは６０ｃｍから１００ｃｍの長さをもち、幅は約１６ｃｍ程度に設定されている。【００１２】  先ず図１により収納部表側を説明する。収納部表側は外側に出る布地（Ａ）及び図上には表われない布地（Ｂ）の２枚の布地を縫い合わせて作られる。布地（Ａ）は通常の衣服の表地に使われるような布材を使用し、布地の柄、色は自由に変えられるが、本収納部が衣服の外側に装着されても、衣服との間に違和感を抱かせないような布地であり、場合によっては模様・図柄において装飾性を有する布地を使用することを特徴とする。収納部は外周部及び分割線（１２）〜（１４）において縫い合わされ機能上四つに分割される。布地（Ａ）の上部にはファスナ（１５）〜（１８）が縫い付けられて四つの収納ポケット（３）〜（６）を構成する。さらにその上に布地（Ａ）と同じ布地を縫いつけ上部にファスナ（１９）及び（２０）をとりつけて付属の収納ポケット（７）及び（８）を構成する。収納ポケットの大きさは自由に変えられるが図１においては一つのポケットの横幅は１７〜２５ｃｍであり、ポケットの深さは収納ベルトの幅により規制されるが、図１の実施例においては約１４〜１６ｃｍ以内の寸法となっている。収納部の下側の形状は、本考案の特徴となっているものであるが、図１に示すように収納部全体の左右の沿面及び中央部において、特に寸法的には規制しないが、装着者の腰部の形状になじむような、なだらかな曲線を描き、又分割線（１２）及び（１４）において収納ベルト幅から、その３分の一から４分の一程度の切込みがされていることにより、装着時、特に着座、着席時に収納ベルトが身体を無理に圧迫しないような形状となっている。【００１３】  次に図２によって収納ベルト裏側の構成を説明すると、裏側は収納ベルトを構成する布地（Ｂ）の裏面に、収納ポケット（４）および（５）を連結した形状をもつ別な布地（Ｃ）及び（Ｄ）を、両側においては同じ箇所を、上下においては異なる側を交互に縫い合わせることにより構成される。
布地（Ｃ）は分割線（１２）、（１４）及び上部において布地（Ａ）及び（Ｂ）に縫い合わされているが表側の分割線（１３）にあたる箇所と下部は縫い合わされておらず、分割線（１２）と（１４）との間に表側の収納ポケット二つ分にあたる横幅約３４〜４０ｃｍの収納ポケット（９）が構成されており、その下部にファスナ（２１）が取り付けられている。
さらに布地（Ｃ）と同じ形状をもつ布地（Ｄ）が布地（Ｃ）の上に配置されているが、縫い合わせは分割線（１２）及び（１４）においては布地（Ａ）、（Ｂ）及び（Ｃ）を重ね合わせて行われるものの下部においては布地（Ｃ）とだけにおいて行われ、ファスナ（２２）を上部に取り付けて収納ポケット（１０）を構成している。即ち収納ポケット（９）及び（１０）は同じ形状の布地（Ｃ）及び布地（Ｄ）を重ね合わせて構成するものの、縫い合わせ箇所及びファスナを取り付けた取り出し口が上部と下部で異なる二重ポケットを構成している。
布地（Ｂ）（Ｄ）の布材は特に規定されることなく、布材の端切れなどを使うことも可能だが、本収納ベルトを衣服の外面に接して装着することが多いことを考えると、収納ベルトの内面に接することになる衣服に対していわゆるテカリ、磨耗などの悪影響を与えないような柔らかな布地の使用が望ましい。布地（Ｃ）の布材は特に規定されることなく、布材の端切れなどを使うことも可能である。【００１４】  又図３により、収納ベルトを装着しない時に収納ベルトを収納するために収納ベルトに併設された収納袋（１）及び内ポケット（１１）について説明する。この収納袋（１）は、収納ベルトを装着・使用している時は折り畳まれて収納ポケット（９）に収納されているが、収納ベルトを使用していない時に収納ベルトを折り畳んで収納できることを目的にしている。
従ってその収納袋（１）の布地は小さく折り畳めるよう薄く、しかも丈夫な材質が望ましく、例えばナイロン、ポリエステルなどの合成繊維が望ましい。この収納袋（１）の大きさは、収納ベルトを四つに折り畳んだ形で収納することを考えると、例えば横幅約２４ｃｍ、深さ約２０ｃｍの大きさをもち、図３に示すように、袋の上辺から一部端部にかけてファスナ（２３）が取り付けられている。この収納袋のファスナ（２３）は収納ベルト裏側の収納ポケット（１０）用のファスナ（２２）とその一端（２４）で丈夫な紐により連結されているような構成となっている。
さらに収納ポケット（１０）の内部には、布地（Ｃ）の上に紙幣、パスポート、旅行者用小切手などの貴重品が収容可能な大きさの、横幅約２０ｃｍ、深さ約１２ｃｍの布地（Ｅ）が縫い付けられて内ポケット（１１）を構成しておりその上部の取出し口にはファスナ（２６）が取り付けられている。【００１５】  次に図４により、収納ベルトに取り付けられたリュックザック（２）について説明する。このリュックザック（２）は携行品の形状が大きく収納ポケット（３）〜（１０）に収納できない時、又は携行品の重量が重く、携行品を収納ベルト内に収納した場合身体へのなじみが悪く身体の一部に負担がかかるおそれがある時などに使用するためのもので、収納袋と同じく、使用していない時には折り畳んで収納ポケット内に収納することを目的にしているので、その布地は小さく折り畳めるよう薄く、しかも丈夫な材質が望ましい。このリュックザック（２）はリュックザック下部（２７，２８）と収納ベルトの裏側下部（２９，３０）との間で紐（２５）により収納ベルトと縫い合わせて連結するような構成となっている。
【考案の効果】
【００１６】  本考案は、上記の通り構成されているので、次に記載する効果を奏する。
【００１７】  請求項１においては、連設された複数の収納部を有しているので、外出する際に手が塞がれることなく身の回り品、貴重品をなるべく多くしかも安全に携行でき、この収納ベルトを腰の周りに容易に回周させることにより、携行品の出し入れが容易しかも安全に行われる。
【００１８】  請求項２においては、リュックザックを、その不使用時に該収納ベルトの収納部内に紐を使って連結、装着しているので、腰部に装着させる請求項１の収納ベルトに収容できない大きさや、収納させるには適さないような重量の携行品をも収納ベルトと同時に、しかも手を塞ぐことなく、安全に携行できる。
【００１９】  請求項３においては、収納ベルトを使用しない時には、収納ベルト自体をさらに収納、携帯するための袋を該収納ベルトの収納部内に紐を使って連結、併設しているので、収納ベルトをコンパクトに保管、又は携行できる。
【００２０】  請求項４においては、複数の収納部の連設部において、ベルト幅から切込みをいれた又は彎曲した形状を有しているので、携行時に身体の動きになじみがよく着座、着席の際も動作が円滑に行われ、長時間の着座、着席時にも、腰部に無理な圧迫を加えることを避けることができる。
【００２１】請求項５においては、収納ベルトの外観を構成する布地に、通常、上着としての衣服に使われるような図柄や模様の布地を使用しているので、衣服との違和感がなく、人前で携行品の出し入れができる。又薄型になっているので、コートの内側にも装着できる。
【図面の簡単な説明】
【図１】  収納ベルトの表側から見た収納部の図である。
【図２】  収納ベルトの裏側からみた収納部であり、又併設された収納袋を収納ポケットから取り出した時の図である。
【図３】  収納ベルトを収納するために該収納ベルトに併設して作られた収納袋（１）を収納用ポケットから取り出したところを示す図である。
【図４】  収納ベルトに併設されているリュックザック（２）を収納ベルトの裏側の収納ポケットから取り出したところを示す図である。
【図５】  収納ベルトを身体に装着した時の形態を示す図である。
【符号の説明】
Ａ、Ｂ、Ｃ、Ｄ、Ｅ  布地
１  収納袋
２  リュックサック
３〜８  収納ポケット（表側）
９〜１０  収納ポケット（裏側）
１１  内ポケット
１２〜１４  分割線
１５〜２２  ファスナ
２３  収納袋に取り付けられたファスナ
２４  収納袋と収納ベルトを連結する紐の連結点
２５  収納袋と収納ベルトを連結する紐
２６  内ポケット用ファスナ
２７、２８  収納ベルト下部にあり、この２点とリュックサック下部にある２点（２３、２４）とを連結する紐の連結点
２９、３０  リュックサック下部にあり、この２点と収納ベルトにある２点（２５、２６）とを連結する紐の連結点
【図１】
0003100809.tif 000003
【図２】
0003100809.tif 000004
【図３】
0003100809.tif 000005
【図４】
0003100809.tif 000006
【図５】
0003100809.tif 000007